(57)【特許請求の範囲】
【請求項１】
記録媒体に記録されたコンテンツ信号の再生時において、MPEG方式で圧縮された再生対象の前記コンテンツ信号のＩピクチャを用いて、前記コンテンツ信号の変化点を検出する変化点検出手段と、
前記変化点によって挟まれた区間のそれぞれについて、前記区間の前記コンテンツ信号から所定の特徴の特徴量を抽出し、前記区間の前記特徴量に基づいて、前記特徴量により定まる前記区間の属性を判別する属性判別手段と、
前記区間と、前記区間の前記属性とを対応付けて記憶保持する記憶手段と、
前記コンテンツ信号の再生時において、前記コンテンツ信号の再生位置を、現在の再生位置から一定時間前の位置に移動させるフラッシュ戻り操作、または前記コンテンツ信号の再生位置を、前記現在の再生位置から一定時間後の位置に移動させるフラッシュ送り操作の指示入力を受け付ける受付手段と、
前記フラッシュ戻り操作、または前記フラッシュ送り操作の指示入力が受け付けられた場合に、前記コンテンツ信号の前記現在の再生位置を判定する再生位置判定手段と、
前記フラッシュ戻り操作がされた場合、前記現在の再生位置が属す前記区間である現区間よりも前の前記区間であって、かつ前記現区間の前記属性と異なる前記属性を有する最も前記現区間に時間的に近い前記区間の末尾の位置から、前記コンテンツ信号の再生を再開させ、前記フラッシュ送り操作がされた場合、前記現区間よりも後の前記区間であって、かつ前記現区間の前記属性と異なる前記属性を有する最も前記現区間に時間的に近い前記区間の先頭の位置から、前記コンテンツ信号の再生を再開させる制御手段と
を備えることを特徴とする記録再生装置。
【請求項２】
前記属性は、前記特徴が類似する区間が同じ前記属性となるように予め定められている
ことを特徴とする請求項１に記載の記録再生装置。
【請求項３】
記録媒体に記録されたコンテンツ信号の再生時において、MPEG方式で圧縮された再生対象の前記コンテンツ信号のＩピクチャを用いて、前記コンテンツ信号の変化点を検出する変化点検出ステップと、
前記変化点によって挟まれた区間のそれぞれについて、前記区間の前記コンテンツ信号から所定の特徴の特徴量を抽出し、前記区間の前記特徴量に基づいて、前記特徴量により定まる前記区間の属性を判別する属性判別ステップと、
前記区間と、前記区間の前記属性とを対応付けて記憶手段に記憶保持させる記憶制御ステップと、
前記コンテンツ信号の再生時において、前記コンテンツ信号の再生位置を、現在の再生位置から一定時間前の位置に移動させるフラッシュ戻り操作、または前記コンテンツ信号の再生位置を、前記現在の再生位置から一定時間後の位置に移動させるフラッシュ送り操作の指示入力を受け付ける受付ステップと、
前記フラッシュ戻り操作、または前記フラッシュ送り操作の指示入力が受け付けられた場合に、前記コンテンツ信号の前記現在の再生位置を判定する再生位置判定ステップと、
前記フラッシュ戻り操作がされた場合、前記現在の再生位置が属す前記区間である現区間よりも前の前記区間であって、かつ前記現区間の前記属性と異なる前記属性を有する最も前記現区間に時間的に近い前記区間の末尾の位置から、前記コンテンツ信号の再生を再開させ、前記フラッシュ送り操作がされた場合、前記現区間よりも後の前記区間であって、かつ前記現区間の前記属性と異なる前記属性を有する最も前記現区間に時間的に近い前記区間の先頭の位置から、前記コンテンツ信号の再生を再開させる制御ステップと
を含むことを特徴とするコンテンツ信号利用方法。
【請求項４】
記録媒体に記録されたコンテンツ信号の再生時において、MPEG方式で圧縮された再生対象の前記コンテンツ信号のＩピクチャを用いて、前記コンテンツ信号の変化点を検出する変化点検出ステップと、
前記変化点によって挟まれた区間のそれぞれについて、前記区間の前記コンテンツ信号から所定の特徴の特徴量を抽出し、前記区間の前記特徴量に基づいて、前記特徴量により定まる前記区間の属性を判別する属性判別ステップと、
前記区間と、前記区間の前記属性とを対応付けて記憶手段に記憶保持させる記憶制御ステップと、
前記コンテンツ信号の再生時において、前記コンテンツ信号の再生位置を、現在の再生位置から一定時間前の位置に移動させるフラッシュ戻り操作、または前記コンテンツ信号の再生位置を、前記現在の再生位置から一定時間後の位置に移動させるフラッシュ送り操作の指示入力を受け付ける受付ステップと、
前記フラッシュ戻り操作、または前記フラッシュ送り操作の指示入力が受け付けられた場合に、前記コンテンツ信号の前記現在の再生位置を判定する再生位置判定ステップと、
前記フラッシュ戻り操作がされた場合、前記現在の再生位置が属す前記区間である現区間よりも前の前記区間であって、かつ前記現区間の前記属性と異なる前記属性を有する最も前記現区間に時間的に近い前記区間の末尾の位置から、前記コンテンツ信号の再生を再開させ、前記フラッシュ送り操作がされた場合、前記現区間よりも後の前記区間であって、かつ前記現区間の前記属性と異なる前記属性を有する最も前記現区間に時間的に近い前記区間の先頭の位置から、前記コンテンツ信号の再生を再開させる制御ステップと
を含む処理をコンピュータに実行させることを特徴とするコンテンツ信号利用プログラム。
【発明の詳細な説明】
【技術分野】
【０００１】
この発明は、例えば、ハードディスクやＤＶＤ（Digital Versatile Disc）などの光ディスクやビデオテープなどを記録媒体として用いる装置、この装置で用いられるコンテンツ信号を利用するための方法、プログラムに関する。
【背景技術】
【０００２】
ハードディスクを記録媒体として用いるハードディスクレコーダや、ＤＶＤを記録媒体として用いるＤＶＤレコーダなど、大容量の記録媒体を用いてテレビ放送番組などの大量のコンテンツ信号を記録し、これを再生して利用できるようにする装置が広く利用されるようになってきている。
【０００３】
このようなハードディスクレコーダやＤＶＤレコーダの中には、記録媒体に記録されたコンテンツ信号の再生時において、所定の操作キーを押下操作するだけで、現時点から再生時間に換算して一定時間前あるいは一定時間後に再生位置を位置付けて再生を再開するようにするいわゆるフラッシュ機能が搭載されたものがある。
【０００４】
なお、この明細処理においては、所定の操作キー（フラッシュ戻りキー（フラッシュ−（マイナス）キー）を押下操作するだけで、再生位置を現時点から再生時間で一定時間前（例えば１５秒前）の位置に位置付けて再生を再開する機能をフラッシュ戻り機能と呼ぶ。また、所定の操作キー（フラッシュ送りキー（フラッシュ＋（プラス）キー）を押下操作するだけで、再生位置を現時点から再生時間で一定時間後（例えば１５秒後）の位置に位置付けて再生を再開する機能をフラッシュ送り機能と呼ぶ。
【０００５】
このフラッシュ機能の実行時の動作を図７のフローチャートに簡単に示す。フラッシュ機能を実行させるために所定の操作キーを操作すると、図７に示すように、まず、指示に応じた方向に再生位置を変更する動作（例えば、早送り、早戻し、ジャンプ等）を開始させ（ステップＳ１０１）、フラッシュ機能の実行が指示されたときの再生位置から、一定時間分前または一定時間分後の位置に再生位置を位置付けられたか否かを判断する（ステップＳ１０２）。
【０００６】
ステップＳ１０２の判断処理において、一定時間分前または一定時間分後の位置に到達していないと判断したときには、ステップＳ１０２の処理を繰り返すようにし、フラッシュ機能の実行が指示されたときの再生位置から、一定時間分前または一定時間分後の位置に再生位置を位置付けられまで待ち状態となる。ステップＳ１０２の判断処理において、一定時間分前または一定時間分後の位置に到達したと判断したときには、指示に応じた方向に再生位置を変更する動作を終了させ（ステップＳ１０３）、この図７に示す処理を終了して、新たに位置付けた再生位置から通常通りの再生を再開させるようにする。
【０００７】
このようなフラッシュ機能を用いることにより、記録媒体に記録した例えばテレビ放送番組を再生して視聴している場合に、例えば、あまり見たくないシーンが映出された場合には、再生位置を一定時間後に位置付けるようにするフラッシュ送り機能を動作させるための所定の操作キーを押下操作するだけで、再生位置を一定時間後に移動する（一定時間先に進める）ことができ、当該シーンを視聴しないようにすることが簡単にできるようにしている。
【０００８】
逆に、記録媒体に記録した例えばテレビ放送番組を再生して視聴している場合に、ユーザーは、目的とするシーンを見逃してしまった場合や、目的とするシーンを繰り返し見たい場合には、再生位置を一定時間前に位置付けるようにするフラッシュ戻り機能を動作させるための所定の操作キーを押下操作するだけで、再生位置を一定時間前に移動する（一定時間後に戻す）ことができ、目的とするシーンを繰り返し視聴することが簡単にできるようにしている。
【０００９】
このフラッシュ機能の場合には、通常の早送り機能や早戻し機能のように、開始操作と終了操作との両方を行う必要はなく、上述もしたように、所定の操作キーを押下操作するという１回の操作だけでフラッシュ動作を開始させ、再生時間で換算して、再生位置を一定時間前あるいは一定時間後に位置付け終わった場合に、フラッシュ動作は自動的に終了するようにされるので、ユーザーにとって非常に便利な機能である。
【００１０】
なお、上述したフラッシュ機能については、例えば、以下に示す非特許文献１に紹介されている。  
【非特許文献１】“ソニーデジタルレコーダホームページ”、［online］［平成１７年８月１６日検索］、インターネット＜ＵＲＬ：ｈｔｔｐ：／／ｗｗｗ．ｓｏｎｙ．ｊｐ／ｐｒｏｄｕｃｔｓ／Ｃｏｎｓｕｍｅｒ／ｄｖｄｒｅｃｏｒｄｅｒ／ｐｒｏｄｕｃｔ／ｒｄｒ  ｖｈ８０．ｈｔｍ＞
【発明の開示】
【発明が解決しようとする課題】
【００１１】
しかしながら、ハードディスクレコーダやＤＶＤレコーダにおける上述したいわゆるフラッシュ機能は、フラッシュ機能の実行が指示された時点の再生位置を再生時間で一定時間前あるいは一定時間後の位置に位置付けるようにしているために、再生位置の位置付けに際し、進め足りなかったり、戻し足りなかったりする場合もあると考えられる。
【００１２】
例えば、図８Ａ、Ｂに示すように、ハードディスクレコーダに記録したテレビ放送番組のテレビ放送信号を再生して視聴する場合を考える。ハードディスクレコーダに記録されたテレビ放送番組は、多数のシーンから構成される。ここで、シーンは、１つの放送番組中の各場面だけでなく、当該放送番組と一緒に記録するようにされたコマーシャル（以下、ＣＭと略称する。）部分、番組オープニング部分、番組エンディング部分など、一連の情報として記録されたテレビ放送信号において、当該テレビ放送信号中の映像信号や音声信号の特徴や性質などによって区別することが可能な各部分をいう。
【００１３】
そして、図８Ａに示す例の場合、シーン２の途中まで視聴した時点Ｓにおいて、フラッシュ送り（フラッシュ＋）機能を動作させるようにすると、上述もしたように、また、図８において、「フラッシュ動作期間」として示したように、予め決められた再生時間分、早送りしたり、先の位置にジャンプさせたりする。そして、図８Ａに示したように、シーン３が比較的に長いシーンである場合には、フラッシュ送り機能の終了位置Ｅは、シーン３の後半部分の途中の位置となる。
【００１４】
一般に、ユーザーにとっては、フラッシュ送り機能を動作させたときには、再生されているシーンの全部を飛ばすようにしたい場合が多い。このため、シーン３の時点Ｅの直後などにおいて、ユーザーは、再度、フラッシュ送り機能を実行させて、シーン３の全部を飛ばすようにしなければならなくなる。
【００１５】
また、図８Ｂにおいて、シーン３の途中の時点Ｓにおいて、フラッシュ戻り機能を動作させるようにすると、図８Ｂにおいて、「フラッシュ動作期間」として示したように、予め決められた再生時間分、早戻ししたり、以前の位置にジャンプさせたりする。そして、図８Ｂに示したように、シーン３が比較的に長いシーンである場合には、フラッシュ戻り機能の終了位置は、シーン３の前半分の途中の位置となる。
【００１６】
一般に、ユーザーにとっては、フラッシュ戻り機能を動作させたときには、再生されているシーンの初めから当該コンテンツを再生して視聴するようにしたい場合が多い。このため、シーン３の時点Ｅの直後などにおいて、ユーザーは、再度、フラッシュ戻り機能を実行させて、シーン３の初めから再生するために、目的とする位置に再生位置を位置付けるようにしなければならなくなる。
【００１７】
このように、いわゆるフラッシュ機能を用いて再生位置を変更する場合には、再生位置が進め足りない、あるいは、戻し足りないために、再度、フラッシュ機能を動作させて、再生位置を変更するようにしなければならず、ユーザーの立場からは更なる利便性の向上が望まれている。
【００１８】
以上のことにかんがみ、この発明は、記録媒体に記録されたコンテンツ信号を再生して利用する場合に利用可能な再生位置の変更機能を向上させることにより、利便性をよりよくすることを目的とする。
【課題を解決するための手段】
【００１９】
本発明の記録再生装置は、記録媒体に記録されたコンテンツ信号の再生時において、MPEG方式で圧縮された再生対象の前記コンテンツ信号のＩピクチャを用いて、前記コンテンツ信号の変化点を検出する変化点検出手段と、前記変化点によって挟まれた区間のそれぞれについて、前記区間の前記コンテンツ信号から所定の特徴の特徴量を抽出し、前記区間の前記特徴量に基づいて、前記特徴量により定まる前記区間の属性を判別する属性判別手段と、前記区間と、前記区間の前記属性とを対応付けて記憶保持する記憶手段と、前記コンテンツ信号の再生時において、前記コンテンツ信号の再生位置を、現在の再生位置から一定時間前の位置に移動させるフラッシュ戻り操作、または前記コンテンツ信号の再生位置を、前記現在の再生位置から一定時間後の位置に移動させるフラッシュ送り操作の指示入力を受け付ける受付手段と、前記フラッシュ戻り操作、または前記フラッシュ送り操作の指示入力が受け付けられた場合に、前記コンテンツ信号の前記現在の再生位置を判定する再生位置判定手段と、前記フラッシュ戻り操作がされた場合、前記現在の再生位置が属す前記区間である現区間よりも前の前記区間であって、かつ前記現区間の前記属性と異なる前記属性を有する最も前記現区間に時間的に近い前記区間の末尾の位置から、前記コンテンツ信号の再生を再開させ、前記フラッシュ送り操作がされた場合、前記現区間よりも後の前記区間であって、かつ前記現区間の前記属性と異なる前記属性を有する最も前記現区間に時間的に近い前記区間の先頭の位置から、前記コンテンツ信号の再生を再開させる制御手段とを備える。
【００２３】
本発明の記録再生装置においては、記録媒体に記録されたコンテンツ信号の再生時において、MPEG方式で圧縮された再生対象の前記コンテンツ信号のＩピクチャが用いられて、前記コンテンツ信号の変化点が検出され、前記変化点によって挟まれた区間のそれぞれについて、前記区間の前記コンテンツ信号から所定の特徴の特徴量が抽出され、前記区間の前記特徴量に基づいて、前記特徴量により定まる前記区間の属性が判別され、前記区間と、前記区間の前記属性とが対応付けられて記憶保持され、前記コンテンツ信号の再生時において、前記コンテンツ信号の再生位置を、現在の再生位置から一定時間前の位置に移動させるフラッシュ戻り操作、または前記コンテンツ信号の再生位置を、前記現在の再生位置から一定時間後の位置に移動させるフラッシュ送り操作の指示入力が受け付けられ、前記フラッシュ戻り操作、または前記フラッシュ送り操作の指示入力が受け付けられた場合に、前記コンテンツ信号の前記現在の再生位置が判定される。そして、前記フラッシュ戻り操作がされた場合、前記現在の再生位置が属す前記区間である現区間よりも前の前記区間であって、かつ前記現区間の前記属性と異なる前記属性を有する最も前記現区間に時間的に近い前記区間の末尾の位置から、前記コンテンツ信号の再生が再開され、前記フラッシュ送り操作がされた場合、前記現区間よりも後の前記区間であって、かつ前記現区間の前記属性と異なる前記属性を有する最も前記現区間に時間的に近い前記区間の先頭の位置から、前記コンテンツ信号の再生が再開される。
【発明の効果】
【００２４】
この発明によれば、ユーザーの機器に対する操作入力を増やすことなく、再生位置を目的とする位置に迅速に位置付けることが可能となり、ユーザーの利便性を向上させることができる。
【発明を実施するための最良の形態】
【００２５】
以下、図を参照しながら、この発明による装置、方法、プログラムの一実施の形態について説明する。なお、以下に説明する実施の形態においては、この発明を、所定の操作キーを押下操作するだけで、現時点から再生時間に換算して一定時間前あるいは一定時間後に再生位置を位置付けて再生を再開するようにするいわゆるフラッシュ機能が搭載されたハードディスクレコーダに適用した場合を例にして説明する。
【００２６】
［ハードディスクレコーダの構成の概略］
図１は、この実施の形態のハードディスクレコーダを説明するためのブロック図である。この実施の形態のハードディスクレコーダは、受信、選局したテレビ放送信号や外部機器から供給される映像信号及び音声信号などのコンテンツ信号（コンテンツデータ）をハードディスクに記録することができると共に、当該ハードディスクに記録したコンテンツ信号を読み出して再生することができるものである。
【００２７】
この実施の形態のハードディスクレコーダは、大きく分けると、記録系と再生系と制御系とからなっている。記録系は、地上波アナログテレビ放送信号（以下、単にテレビ放送信号という。）の受信アンテナ１１と、チューナ部１２と、アナログ映像（画像）信号の入力端子（以下、単に映像入力端子という。）１３と、アナログ音声信号の入力端子（以下、単に音声入力端子という。）１４と、セレクタ１５と、録画処理部１６と、シーン区間処理部１７とにより構成される部分である。なお、シーン区間処理部１７は、図１に示すように、シーン変化点検出部１７１と、シーン区間検出部１７２と、シーン識別子生成部１７３とからなるものである。
【００２８】
再生系は、再生位置検出部３１と、フラッシュ時間判定部３２と、再生処理部３３と、映像処理部３４と、映像信号の出力端子３５と、音声処理部３６と、音声信号の出力端子３７とにより構成される部分である。なお、ドライブ制御部２０、ハードディスクドライブ（以下、ＨＤＤと略称する。）２１は、共に記録時及び再生時において使用されるものであり、記録時においては記録系を構成する部分として機能し、再生時においては再生系を構成する部分として機能する。
【００２９】
また、制御系は、制御部４０がその機能を実現するようにしている。制御部４０は、このハードディスクレコーダの各部を制御するものであり、ＣＰＵ（Central Processing Unit）４１、ＲＯＭ(Read Only Memory)４２、ＲＡＭ（Random Access Memory）４３、ＥＥＰＲＯＭ（Electrically Erasable and Programmable ROM）４４が、ＣＰＵバス４５を通じて接続されて形成されたマイクロコンピュータの構成とされたものである。
【００３０】
この制御部４０には、図１に示すように、時計回路５１と、操作入力部５２と、シーン識別子蓄積部５３と、リモコン信号受光部５４とが接続されている。ここで、時計回路５１は、現在時刻を提供するものであり、カレンダ機能をも備え、現在年月日、現在曜日をも提供することができるものである。また、時計回路５１は、所定の期間を計測するカウンタとしても用いることができるものである。
【００３１】
操作入力部５２は、電源のオン／オフスイッチ、再生キー、停止キー、一時停止キー、早送りキー、早戻しキー、フラッシュ送り（フラッシュ（＋））キー、フラッシュ戻り（フラッシュ（−））キーなどの種々の操作キーを備え、ユーザーからの操作入力を受け付けて、受け付けた操作入力に応じた電気信号を制御部４０に供給することができるものである。これにより、制御部４０は、ユーザーからの指示（操作入力）を受け付け、これに応じて各部を制御することができる。
【００３２】
シーン識別子蓄積部５３は、詳しくは後述するように、記録対象や再生対象のコンテンツ信号についての変化点に基づく各シーン区間や各シーン区間の属性を示す識別子等のシーン区間情報を記憶保持するものであり、フラッシュメモリーやＥＥＰＲＯＭなどの不揮発性メモリが用いられたものである。なお、専用のドライバや接続端子を設けることにより、シーン識別子蓄積部５３を、ハードディスクやＭＤ（Mini Disc（登録商標））、メモリーカード、ＵＳＢ（Universal Serial Bus）接続の外部メモリ等の他の種々の記録媒体を用いて構成することもできる。
【００３３】
リモコン信号受光部５４は、このハードディスクレコーダのリモコン６０からの赤外線のリモコン信号を受光し、これを電気信号に変換して制御部４０に供給することができるものである。これにより、リモコン６０及びリモコン信号受光部５４を通じて受け付けたユーザーからの操作入力に応じて、制御部４０がハードディスクレコーダの各部を制御することができるようにされる。
【００３４】
なお、リモコン６０は、操作入力部５２と同様に、電源のオン／オフキー、再生キー、停止キー、一時停止キー、早送りキー、早戻しキー、フラッシュ送り（フラッシュ（＋））キー、フラッシュ戻り（フラッシュ（−））キーなどの種々の操作キーを備え、ユーザーからの操作入力に応じた例えば赤外線のリモコン信号を形成し、これを送出することができるものである。また、リモコン６０や操作入力部５２を通じて、種々の設定や録画予約などを行うこともできるようにしている。
【００３５】
［ハードディスクレコーダの動作について］
次に、この実施の形態のハードディスクレコーダの動作について、その構成を踏まえつつ詳細に説明する。以下においては、記録時の動作と再生時の動作に分けて説明する。
【００３６】
［記録時の動作（処理）について］
まず、記録時の動作について説明する。この実施の形態のハードディスクレコーダは、図１に示したように、テレビ放送信号の受信アンテナ１１及びチューナ部１２と、映像入力端子１３及び音声入力端子１４との２系統の入力端を備えている。そして、操作入力部５２またはリモコン６０を通じて受け付けるユーザーからの操作入力に応じて、受信アンテナ１１及びチューナ部１２を通じて受信選局されたテレビ放送信号と、映像入力端子１３および音声入力端子１４を通じて受け付けた映像信号および音声信号とからなるコンテンツ信号の内の一方をＨＤＤ２１のハードディスクに記録することができるようにしている。
【００３７】
そして、受信アンテナ１１を通じて受信された種々のテレビ放送信号は、チューナ部１２に供給される。チューナ部１２は、受信アンテナ１１により受信された種々のテレビ放送信号のうち、制御部４０から供給されるユーザーからの操作入力に応じた選局制御信号に基づいて、目的とするテレビ放送信号を選局する。
【００３８】
そして、チューナ部１２は、選局したテレビ放送信号を復調し、映像信号Ｖ１と音声信号Ａ１とに分離してこれらをセレクタ１５に供給する。一方、映像入力端子１３を通じて受け付けた映像信号Ｖ２及び音声入力端子１４を通じて受け付けた音声信号Ａ２もまたセレクタ１５に供給される。
【００３９】
セレクタ１５は、制御部４０から供給されるユーザーからの操作入力に応じた切替制御信号に基づいて、チューナ部１２からの映像信号Ｖ１と音声信号Ａ１とを出力するか、外部入力端子１３、１４を通じて受け付けた映像信号Ｖ２と音声信号Ａ２とを出力するかを切り換える。セレクタ１５から出力された映像信号Ｖｄと音声信号Ａｕとは録画処理部１６に供給される。
【００４０】
録画処理部１６は、制御部４０により制御され、これに供給された映像信号と音声信号とをＡ／Ｄ（Analog/Digital）変換してデジタルデータである映像データと音声データとを形成し、これらをシーン区間処理部１７に供給すると共に、これらを所定のデータ圧縮方式、例えば、ＭＰＥＧ（Moving Picture Experts Group）方式でデータ圧縮する。
【００４１】
そして、録画処理部１６は、データ圧縮した映像データと音声データとをパケット化すると共に、必要な制御データを生成してパケット化し、これらパケット化された映像データと音声データと制御データとを時分割多重して、ハードディスクに記録するためのプログラムストリームを形成し、これをドライブ制御部２０に供給する。
【００４２】
ドライブ処理部２０は、制御部２０により制御され、記録時においては、ＨＤＤ２１を制御して、録画処理部１６からのプログラムストリームをＨＤＤ２１のハードディスクの空き領域に記録する処理を行う。このようにして、セレクタ１５からの映像信号Ｖｄと音声信号ＡｕとがＨＤＤ２１のハードディスクに記録（録画）される。
【００４３】
一方、コンテンツ信号のＨＤＤ２１への記録と並行して、シーン区間処理部１７において、シーン変化点を検出し、これに基づいて記録対象のコンテンツ信号における種々のシーン区間の位置を特定して、この特定した各シーン区間のシーン識別子を生成して、これら各シーン区間の位置と各シーン区間の識別子とを対応付けたデータを、制御部４０を通じてシーン識別子蓄積部５３に記録するようにしている。
【００４４】
ここでシーンとは、上述もしたように、１つの放送番組中の各場面だけでなく、当該放送番組と一緒に記録するようにされたＣＭ部分、番組オープニング部分、番組エンディング部分など、一連の情報として記録されたテレビ放送信号において、当該テレビ放送信号中の映像信号や音声信号の特徴や性質などによって区別することが可能な各部分をいう。
【００４５】
以下、シーン区間処理部１７においての処理を具体的に説明する。図１にも示したように、この実施の形態のシーン区間処理部１７は、シーン変化点検出部１７１と、シーン区間検出部１７２と、シーン識別子生成部１７３とからなっており、録画処理部１６からの映像データと音声データとは、シーン区間処理部１７のシーン変化点検出部１７１に供給される。
【００４６】
シーン変化点検出部１７１は、録画処理部１６からの映像データと音声データとの一方または両方を用いてシーン変化点を検出する処理を行う。ここでシーン変化点を検出する処理は、種々の方法を用いて行うことができる。例えば、映像データを用いてシーン変化点を検出する場合には、隣接するフレーム間の映像データ同士で差分を求め、求めた差分が所定値以上に大きくなった場合にシーン変化点であると判断することができる。
【００４７】
また、別の方法として、例えば、フレーム単位に映像データの輝度成分と色成分について分析を行い、この分析結果に基づいて隣接するフレーム間の類似度を判別するようにし、類似度が小さい場合に、シーン変化点であると判断することができる。また、音声データを用いる場合には、映像データのフレームに対応する区間毎のように、所定の区間単位に周波数分析を行い、隣接する区間同士の類似度を求め、この求めた類似度が予め決められた類似度よりも小さい場合に、シーン変化点であると判断することができる。
【００４８】
もちろん、映像データと音声データとのそれぞれについて、シーン変化点を検出するようにし、両方においてシーン変化点であると検出された部分をシーン変換化点であると判断するようにしてもよい。このようにする場合には、映像データと音声データとで検出処理の単位を同じにしておく必要があり、例えば、検出処理の単位を映像データのフレーム単位で検出処理を行うようにすればよい。この他、後述もするように無音区間の有無に基づいてシーン変化点を検出するなどの種々の方法を用いることも可能である。
【００４９】
そして、シーン変化点検出部１７１においての検出結果は、シーン区間検出部１７２に供給される。シーン区間検出部１７２は、シーン変化点検出部１７１からの検出結果に基づいて、シーン変化点とシーン変化点とで挟まれた区間をシーン区間として検出する。例えば、映像データのフレーム単位にシーン変化点の検出を行った場合、シーン変化点とされた２フレーム間において、時間的に前のフレームが、直前のシーン区間の終了点であり、後のフレームが次のシーン区間の開始点となり、シーン区間の位置をフレーム番号によって特定することができるようにされる。
【００５０】
なお、この場合、検出対象のコンテンツ信号の先頭フレームはシーン区間の開始点であり、最後尾はシーン区間の終了点となる。また、シーン区間検出部１７２においては、検出した各シーン区間において、そのシーン区間を構成するフレーム総数を把握したり、フレーム総数に応じて、そのシーン区間の再生時間を把握したりすることもできる。したがって、各シーン区間を開始点とフレーム総数や再生に要する時間を用いて特定することもできる。
【００５１】
シーン区間検出部１７２からの検出結果は、シーン識別子生成部１７３に供給される。シーン識別子生成部１７３は、シーン区間検出部１７２からの検出結果に基づいて、各シーン区間の属性を示す識別子を生成する。具体的には、ＣＭ区間には同じ識別子を生成して付与し、ＣＭ区間以外の本編区間においては、類似するシーン区間に対しては例え時間的に離れたシーン区間であっても同じ識別子を生成して付与するようにしている。
【００５２】
すなわち、この実施の形態のシーン識別子生成部１７３は、ＣＭ区間がほぼ１５秒の倍数関係の時間長を有することを利用し、各シーン区間の時間長（再生時間の長さ）に基づいて、各シーン区間がＣＭ部分であるか、それ以外の本編部分であるかを検出し、ＣＭ区間を示す識別子と本編区間を示す識別子とを生成する。また、シーン識別子生成部１７３は、各シーンの特徴量を抽出し、本編部分の各シーンにおいて、特徴が類似するシーンには同じ識別子を生成して付与する。
【００５３】
より具体的に説明すると、シーン識別子生成部１７３は、１５秒、３０秒、４５秒などのように、１５秒の倍数の時間長を有するシーン区間が、複数連続して存在する部分の各シーン区間については、それらの各シーン区間はＣＭ区間であると検出し、ＣＭ区間であると検出されたシーン区間には、当該区間がＣＭ区間であることを示す識別子を付与する。また、シーン識別子生成部１７３は、ＣＭ区間以外の本編区間の各シーンについては、各シーンの特徴量に基づいて、特徴の類似するシーン区間には、同じ識別子を生成して付与する。
【００５４】
また、映像データや音声データの他の特徴を用いて、シーン変化点を検出し、シーン区間を特定して、シーン識別子を生成することも可能である。例えば、日本のテレビ放送信号の場合、上述もしたように、ＣＭ区間はほぼ１５秒の倍数関係の時間長を有し、本編区間の終了点とＣＭ区間の開始点との間、ＣＭ区間同士の間、ＣＭ区間の終了点と本編区間の開始点との間には、無音区間が設けられるようにされている。このため、無音区間が現れる時間間隔が１５秒の倍数関係になっている区間を、一連のＣＭ区間として検出し、特定することができる。
【００５５】
また、米国のテレビ放送信号の場合、ＣＭ区間がほぼ１５秒の整数倍の時間長であることは日本の場合と同じであるが、無音区間の検出だけではＣＭ区間が正しく検出できなため、テレビ放送番組のＣＭ区間の開始点及び終了点においては、輝度信号レベルがほぼ黒レベルである複数フィールド区間が存在することが知られている。そこで、輝度信号レベルがほぼ黒レベルとなる区間を検出するようにし、この検出周期がほぼ１５秒の倍数関係になっている場合に、その区間のＣＭ区間として特定することができる。
【００５６】
このように、無音区間の検出周期や黒レベル区間の検出周期に基づいて、ＣＭ区間とそれ以外の本編区間とを正確に検出し、検出した各区間については、同時に、どの区間がＣＭ区間であって、どの区間が本編区間であるかについても特定することができる。
【００５７】
このように、この実施の形態のハードディスクレコーダにおいて用いられるシーン識別子は、ＣＭ区間とそれ以外の区間を識別することができると共に、ＣＭ区間以外の本編区間においては、類似するシーン区間を識別することができるものである。
【００５８】
図２は、この実施の形態のシーン識別子生成部１７３の処理を説明するための図である。上述もしたように、シーン区間検出部１７２からの検出結果に基づいて、シーン識別子生成部１７３は、１５秒の倍数の時間長を有するシーン区間が複数連続して存在する部分の各シーン区間については、それらの各シーン区間はＣＭ区間であると検出し、それらの各シーン区間に対しては、ＣＭ区間であることを示す識別子を生成して付与する。
【００５９】
また、ＣＭ区間以外の本編部分の各シーンについては、各シーンの特徴量に基づいて、類似するシーン区間に同じ識別子を生成して付与する。例えば、図２Ａに示すように、シーン変化点Ｐ１〜点Ｐ８が検出され、図２Ｂに示すように、シーン区間としてシーン１〜シーン７までの７つのシーン区間が特定されたコンテンツ信号があるとする。
【００６０】
このコンテンツ信号のシーン１に類似するシーンはないが、シーン２、シーン６、シーン７のそれぞれは相互に類似し、シーン３、シーン４、シーン５のそれぞれは相互に類似することが、各シーンの特徴量から分かった場合には、シーン２、シーン６、シーン７のそれぞれには、同じ識別子（図２においては識別子Ｂ）を付与するようにし、シーン３、シーン４、シーン５のそれぞれには同じ識別子（図２においては識別子Ｃ）が付与するようにしている。
【００６１】
そして、シーン識別子生成部１７３からの検出出力が、制御部４０を通じてシーン識別子蓄積部５３に供給され、記憶保持するようにされる。ここで、シーン識別子生成部１７３からの検出出力は、シーン区間検出部１７２で検出された各シーン区間の開始点を示す情報と、終了点を示す情報と、これら開始点、終了点によって特定されるシーン区間のシーン識別子を示す情報とからなるものである。
【００６２】
図３は、この実施の形態のハードディスクレコーダにおいて、シーン区間処理部１７のシーン識別子生成部１７３からの検出出力に基づいて、シーン識別子蓄積部５３に形成されるシーン区間情報の一例を説明するための図である。図３に示すように、この第１の実施の形態のハードディスクレコーダにおいては、コンテンツＩＤ、シーン区間、シーン識別子からなるシーン区間情報（データベース）を形成する。
【００６３】
ここで、コンテンツＩＤは、ＨＤＤ２１のハードディスクに記録されたコンテンツ信号を識別するためのいわゆるファイル名であり、コンテンツ信号の記録を行うようにする都度つけられるものである。通常は、コンテンツＩＤは、ユーザーによって入力された情報が用いられるが、ユーザーによって入力されないときには、この第１の実施の形態のハードディスクレコーダによって、自動的に生成されて付与される。
【００６４】
また、シーン区間は、シーンの開始点、終了点とからなるものであり、上述もしたように、シーン区間処理部１７のシーン区間検出部１７２において検出されたシーン区間の開始点（シーン変化点）、及び、終了点が用いられる。この場合、各シーン区間の開始点、終了点は、上述もしたように、フレーム番号などにより一意に特定することができるものである。
【００６５】
また、シーン識別子は、上述もしたように、シーン区間処理部１７のシーン識別子生成部１７３において生成され対応するシーン区間に対して付与された情報が用いられ、図３に示すように、検出された各シーン区間毎に、その区間の属性を示す情報であり、上述もしたように、ＣＭ区間や類似する区間に対しては、同じシーン識別子が付与されている。
【００６６】
このように、テレビ放送信号により提供されるコンテンツ信号（テレビ放送番組）や、外部入力端子１３、１４を通じて外部機器から供給される映像信号や音声信号などのコンテンツ信号をＨＤＤ２１のハードディスクに記録する場合には、記録対象のコンテンツ信号について、シーン変化点の検出、シーン区間の検出、シーン識別子の生成付与が順次行われ、これらの結果に基づいて、図３に示したように、シーン識別子蓄積部５３にシーン区間情報を形成するように構成している。このシーン区間情報に基づいて、一連のコンテンツ信号における各シーン区間の位置と長さ（再生時間）及び各シーン区間の属性とを把握することができる。
【００６７】
なお、ここでは、各シーン区間の開始点や終了点を、例えば、映像データのフレーム番号によって特定できるものとして説明したが、これに限るものではない。上述もしたように、フィールド番号を用いて特定できるようにしてもよい。また、記録対象のコンテンツ信号の先頭を基準とするタイムスタンプを付しておき、このタイムスタンプを用いて、各シーン区間の開始点や終了点を特定できるようにしてもよい。もちろん、フィールド番号やタイムスタンプにより、開始点を特定し、フィールド数、フレーム数、あるいは、再生に要する時間などによって、シーン区間の終了点を特定できるようにしてもよい。
【００６８】
すなわち、コンテンツ信号上の変化点の位置は、フィールド番号、フレーム番号、映像と音声の同期再生のために用いられるＰＴＳ（Presentation Time Stamp）、記録対象のコンテンツ信号の先頭からの時間などによって特定し、管理できるようにすることができる。
【００６９】
また、この実施の形態のハードディスクレコーダにおいて、シーン区間処理部１７は、録画処理部１６からの映像データ及び音声データを用いるようにしたが、これに限るものではない。上述したシーン区間処理部１７における処理を、データ圧縮後の映像データや音声データを用いて行うようにすることもできる。
【００７０】
シーンが数フレーム単位に変わることは通常考えられないので、映像データや音声データが、例えば、ＭＰＥＧ２方式でデータ圧縮されたものである場合、Ｉピクチャのフレームデータに基づいて、画像の分類処理を行い、シーン変化点を検出するようにすることもできる。
【００７１】
例えば、Ｉピクチャのフレームデータを複数の画像領域に分割し、各画像領域におけるＹ成分（輝度成分）、Ｃｂ成分（青の色差成分）、Ｃｒ成分（赤の色差成分）のＤＣＴ(Discrete Cosine Transform)係数のうちのＤＣ係数の平均値を成分とする複数次の３つのベクトルＡｙ(輝度ベクトル)、Ａｂ(青の色差ベクトル)、Ａｒ（赤の色差ベクトル）を生成し、これらのベクトルデータと、他のＩピクチャのフレームデータについてのベクトルデータとの距離に基づいて、類似画像と非類似画像とを分類するようにして、シーン変化点を検出するようにすることもできる。
【００７２】
なお、このように、ＭＰＥＧ２方式でデータ圧縮された映像データを用いて類似区間と非類似区間とを判断する方式（時間的に離れたシーン区間であっても類似するシーン区間には同じ識別子を付与できる方式）は、特開２００３−２１９３４８号公報に詳細に説明されている。
【００７３】
［再生時の動作（処理）について］
次に、上述したように、ＨＤＤ２１のハードディスクに記録されたコンテンツ信号を再生する場合の動作（処理）について説明する。操作入力部５２あるいはリモコン６０を通じて、ＨＤＤ２１に記録されているコンテンツ信号を再生するようにする操作入力が行われると、制御部４０は再生系の各部を制御し、ＨＤＤ２１に記録されている目的とするコンテンツ信号（プログラムストリーム）の再生処理を開始する。
【００７４】
まず、制御部４０はドライブ制御部２０を制御し、ＨＤＤ２１を制御して目的とするコンテンツ信号を読み出し、これを再生位置検出部３１を通じて再生処理部３３に供給する。  再生処理部３３は、コンテンツ信号を映像データ、音声データ、制御データとに分離すると共に、映像データと音声データとについては解凍処理を行って、データ圧縮前の元の映像データと音声データとを復元する。
【００７５】
そして、再生処理部３３は、復元した映像データと音声データとのそれぞれを、Ｄ／Ａ（Digital/Analog）変換してアナログ映像信号とアナログ音声信号を形成し、アナログ映像信号については映像処理部３４に供給し、アナログ音声信号については、音声処理部３６に供給する。
【００７６】
映像処理部３４は、これに供給されたアナログ映像信号から出力する形式のアナログ映像信号を形成し、これを映像出力端子３５を通じて出力して、映像モニタ装置に供給するようにする。この場合、映像処理部３４は、制御部４０からの制御に応じて、画質などについての調整を行うこともできるようにしている。
【００７７】
音声処理部３６は、これに供給されたアナログ音声信号から出力する形式のアナログ音声信号を形成し、これを音声出力端子３７を通じて出力して、スピーカに供給するようにする。この場合、音声処理部３６は、制御部４０、または、利得判定部３２からの制御に応じて、再生音声の利得を制御し、再生音声の音量（音量レベル）を調整することもできるようにしている。
【００７８】
［フラッシュ機能実行時の動作の概要について］
そして、ＨＤＤ２１に記録された目的とするコンテンツ信号を再生して視聴するようにしている場合に、操作入力部５２またはリモコン６０を通じて、フラッシュ送りキーまたはフラッシュ戻りキーが押下操作されると、制御部４０は、再生位置検出部３１とフラッシュ時間判定部３２とを制御し、フラッシュ時間を特定し、特定した時間分、ユーザーによって指示された方向（＋（送り）方向または−（戻り）方向）に再生位置を移動させ、この後に再生を再開するフラッシュ動作を開始する。
【００７９】
すなわち、再生位置検出部３１は、制御部４０の制御に応じて、ドライブ制御部２０を通じて読み出され、自己に供給されたコンテンツ信号からその再生位置（再生箇所）を特定し、これをフラッシュ時間判定部３２に供給する。フラッシュ時間判定部３２は、制御部４０からの制御に応じて、再生位置検出部３１から供給された再生コンテンツ信号の再生位置を示す情報に基づいて、制御部４０を通じてシーン識別子蓄積部５３に記憶保持されているシーン区間情報を参照する。
【００８０】
そして、フラッシュ時間判定部３２は、当該再生位置（最新に検出した再生位置）が属するシーン区間のシーン識別子を取得すると共に、ユーザーによって指示された方向に、再生時間に換算して予め決められている一定時間分、再生位置を移動させるようにした場合の位置（第１の候補位置）が属するシーン区間のシーン識別子を取得し、当該再生位置の属するシーン区間のシーン識別子と、再生位置を一定時間移動させるようにした場合の第１の候補位置が属するシーン区間のシーン識別子が同じか否かを判断する。
【００８１】
ここで、最新に検出した再生位置が属するシーン区間のシーン識別子と、第１の候補位置が属するシーン区間のシーン識別子とが同じである場合には、ＣＭ区間あるいは類似区間が継続していると判断して、第１候補位置からさらに、ユーザーによって指示された方向に、再生時間に換算して予め決められている一定時間分、再生位置を移動させるようにした場合の位置（第２の候補位置）が属するシーン区間のシーン識別子を取得し、最新に検出した再生位置が属するシーン区間のシーン識別子と比較する。
【００８２】
このように、最新に検出した再生位置が属するシーン区間のシーン識別子と、当該最新に検出した再生位置を基準にして、ユーザーによって指示された方向に、再生時間に換算して予め決められている一定時間毎の位置（再生位置の移動先の候補位置）が属するシーン区間のシーン識別子とを順次に比較して、両者が最初に異なることとなったシーン区間の当該候補位置に再生位置を位置付けるように、再生時間に換算して再生位置の移動距離を計算する。
【００８３】
そして、フラッシュ時間判定部３２は、計算によって求めた移動距離分再生位置を移動させるようにする制御信号を形成し、これをドライブ制御部２０に供給することにより、ドライブ制御部２０の機能により、再生位置を計算で求めた移動距離分移動させて、ＣＭ区間、あるいは、類似区間を早送り、あるいは、早戻し、あるいは、ジャンプさせるようにして、再生位置を変更し、この後再生を再開させるようにする。
【００８４】
このように、この実施の形態のハードディスクレコーダにおいては、フラッシュ機能を用いて、再生位置を移動させる場合に、再生時間に換算して予め決められた一定時間分、再生位置を移動させるようにしても、移動後の再生位置がシーン識別子の同じシーン区間に属する場合には、さらに一定時間分ユーザーの指示に応じた方向に再生位置を移動させるようにする処理を繰り返すことにより、フラッシュ送りキーやフラッシュ戻りキーを１回押下操作するだけで、確実にシーン識別子の異なるシーン区間に再生位置を移動させた後に再生を再開させることができる。
【００８５】
したがって、見たくないシーンについては、フラッシュ送りキーやフラッシュ戻りキーを１回押下操作するだけで、視聴しないようにすることができる。すなわち、いわゆるフラッシュ機能を用いる場合に、送り足りない、あるいは、戻し足りないといった不都合を確実に回避することができる。
【００８６】
なお、各シーン区間のコンテンツ信号上の開始点、終了点は、上述もしたように、例えば、フィールド番号、フレーム番号、ＰＴＳ（Presentation Time Stamp）、記録対象のコンテンツ信号の先頭からの時間などによって表される。そして、再生位置が分かれば、その位置から指示された方向にフラッシュ動作のための一定時間分の位置に到達するには、どれだけ進めばよいか、あるいは、どれだけ戻ればよいかは、フィールドを単位として、あるいは、フレームを単位として、あるいは、ＰＴＳの単位で、あるいは、先頭からの相対時間を単位として把握することができるので、コンテンツ信号上の再生位置を基準として求められる目的とする位置についても、フィールド番号、フレーム番号、ＰＴＳ、先頭からの時間情報など用いて特定することが可能である。
【００８７】
そして、目的とする位置に再生位置を位置付ける場合には、上述もしたように、取得した再生位置から目的とする位置までの再生時間を算出し、その再生時間分、指示された方向に再生位置を移動させる。例えば、早送りや早戻しによって再生位置を移動させる場合、どの位早送りや早戻しを実行すれば、再生時間に換算してどの位の距離を移動させることができるかが予め分かっているので、これに基づき、再生位置を目的とする位置に移動させることができる。
【００８８】
もちろん、この方法に限るものではない。例えば、ドライブ制御部２０や再生位置検出部３１の機能を用いて、特定した再生位置のハードディスク上のアドレスを特定すると共に、この再生位置のアドレスと目的とする移動先の位置に応じた記録媒体上の位置を示す情報とに基づいて、目的とする移動先の位置を示す記録媒体上のアドレスを特定して、その特定したアドレスに再生位置をジャンプさせるようにすることにより、迅速に再生位置を目的とする位置に位置付けて再生を再開するようにすることも可能である。
【００８９】
［フラッシュ機能実行時の動作の詳細について］
次に、この実施の形態のハードディスクレコーダにおいて実行されるフラッシュ機能時の動作の詳細について図４のフローチャートを参照しながら説明する。この図４に示すフローチャートの処理は、制御部４０の制御によって、再生位置検出部３１、フラッシュ時間判定部３２、ドライブ制御部２０、シーン識別子蓄積部５３が協働して実行する処理である。
【００９０】
すなわち、制御部４０は、操作入力部５２またはリモコン６０を通じて、ＨＤＤ２１のハードディスクに記録されているコンテンツ信号の再生指示を受け付けると、再生系の各部を制御し、ドライブ制御部２０を通じてＨＤＤ２１のハードディスクから目的とするコンテンツ信号を読み出し、再生位置検出部３１、再生処理部３３、映像処理部３４、音声処理部３６の各部を機能させ、目的とするコンテンツ信号の再生を行うようにする。
【００９１】
このようにしてコンテンツ信号の再生処理が行われている場合に、操作入力部５２またはリモコン６０のフラッシュ送りキーまたはフラッシュ戻りキーが操作されると、制御部４０は、図４に示す処理を実行し、再生位置検出部３１、フラッシュ時間判定部３２に対してフラッシュ動作要求を送出してフラッシュ動作を開始させるようにする（ステップＳ１）。
【００９２】
具体的には、制御部４０は、まず、再生位置検出部３１を制御して、ドライブ制御部２０からのコンテンツ信号に基づいて、現在の再生位置（再生箇所）を検出し、これをフラッシュ時間判定部３２に供給して、再生位置の移動先の位置を特定する処理を開始させるようにする。
【００９３】
そして、フラッシュ時間判定部３２は、再生位置検出部３１から供給される再生されているコンテンツ信号上の再生位置を示す情報に基づいて、制御部４０を通じてシーン識別子蓄積部５３のシーン区間情報を参照し、最新に検出した再生位置の属するシーン区間のシーン識別子を取得する（ステップＳ２）。
【００９４】
次に、フラッシュ時間判定部３２は、最新に検出した再生位置を基準位置として、再生時間に換算して予め決められた一定時間、ユーザーの指示に応じた方向に再生位置を移動させるようにした場合の位置（再生位置の移動先の候補位置）を算出して特定し（ステップＳ３）、その候補位置が属するシーン区間のシーン識別子をシーン識別子蓄積部５３のシーン区間情報から取得する（ステップＳ４）。
【００９５】
そして、フラッシュ時間判定部３２は、ステップＳ１０２で取得した最新に検出した再生位置の属するシーン区間（再生途中のシーン区間）のシーン識別子と、ステップＳ１０４において取得した予め決められた一定時間を単位に移動した先の位置である候補位置が属するシーン区間のシーン識別子とを比較し、一致しているか否かを判断する（ステップＳ５）。
【００９６】
ステップＳ５の判断処理において、両シーン識別子が一致していると判断したときには、最新に取得した再生位置が属するシーン区間（再生中のシーン区間）も、再生位置についての移動先の候補位置が属するシーン区間も類似するシーン区間であるために、再生位置をさらに移動させる必要があると判断して、ステップＳ３からの処理を繰り返し、候補位置からさらに再生時間に換算して一定時間移動させた位置を新たな候補位置として、シーン識別子の一致不一致を検出するようにする。
【００９７】
ステップＳ５の判断処理において、両シーン識別子が一致していないと判断したときには、最新に取得した再生位置が属するシーン区間（再生中のシーン区間）と、再生位置についての移動先の候補位置が属するシーン区間とは類似しないシーン区間であるので、当該シーン区間の当該候補位置まで再生位置を移動するための時間（再生時間に換算した時間）を算出して決定する（ステップＳ６）。
【００９８】
そして、フラッシュ時間判定部３２は、ユーザーによって指示された方向に再生位置を移動させるための処理（早送り、あるいは、早戻し、あるいは、ジャンプ）を開始させる（ステップＳ７）。そして、ステップＳ６において決定した時間分、再生位置を移動させるまで待ち状態となる（ステップＳ８）。このステップＳ８において、ステップＳ６で決定した時間分、再生位置を移動させたと判断した時には、再生位置を移動させるフラッシュ動作を終了し（ステップＳ９）、再生を再開させるようにして、この図４に示す処理を終了する。
【００９９】
このようにして、この実施の形態のハードディスクレコーダにおいては、フラッシュ送り機能、フラッシュ戻り機能が実行するようにされた場合には、従来のフラッシュ機能のように、再生時間に換算して一定時間分先の位置に再生位置を送ったり、一定時間分前の位置に再生位置を戻したりするのではなく、再生位置をシーン識別子が異なるシーン区間にまで移動させた後に、再生を再開させることができる。したがって、再生位置を送り足りなかったり、あるいは、戻し足りなかったりするために、フラッシュ送りキーやフラッシュ戻りキーを複数回操作しなければならないといった面倒を回避し、使い勝手を向上させることができる。
【０１００】
［フラッシュ動作の具体例について］
次に、図５、図６を用いて、この実施の形態のハードディスクレコーダにおいての、フラッシュ送り機能とフラッシュ戻り機能との動作の具体例について説明する。図５は、この実施の形態のハードディスクレコーダにおいて行われるフラッシュ送り機能を実行した場合の動作の一例を説明するための図である。
【０１０１】
図５Ａに示すように、シーン１、シーン２、シーン３、シーン４、シーン５、シーン６、シーン７…のように多数のシーンからなるテレビ放送番組のテレビ放送信号が、この実施の形態のハードディスクレコーダのＨＤＤ２１のハードディスクに記録されたとする。そして、記録時においては、図５において、シーン変化点Ｐ１、Ｐ２、Ｐ３、Ｐ４、Ｐ５、Ｐ６、Ｐ７、Ｐ８、…が示すように、シーン変化点が検出されてシーン区間が特定されるとともに、図５Ｂに示すように、各シーンに対してシーン識別子Ａ、Ｂ、Ｃが付加され、これらの情報が、シーン識別子蓄積部５３にシーン区間情報として蓄積されているものとする。
【０１０２】
このコンテンツ信号を再生している場合に、シーン３の前半の時点Ｓにおいて、フラッシュ送りキーが押下操作されたとする。従来のフラッシュ送り機能の場合、再生時間に換算して予め決められた一定時間分、再生位置を移動させるようにしたシーン４の後半において、フラッシュ送り機能は終了する。
【０１０３】
しかし、この実施の形態のハードディスクレコーダの場合、フラッシュ送り機能の開始点Ｓを含むシーン３と、再生位置の最初の候補位置を含むシーン４とは、そのシーン識別子がいずれも「Ｃ」であるため、さらに予め決められた一定時間分、再生位置が先に送られる。
【０１０４】
そして、最終的には、シーン３の時点Ｓから開始されたフラッシュ送り機能は、再生時間に換算して予め決められた一定時間を２度繰り返し送られた位置であるシーン６の前半の時点Ｅに再生位置を位置付け、そこから通常通りの再生が再開するようにされる。これにより、シーン識別子がいずれも「Ｃ」であるシーン３、シーン４、シーン５を正常に再生して視聴することなく、時点Ｅまで再生位置を移動して、そこから通常通り再生してコンテンツ信号による映像と音声とを視聴することができる。
【０１０５】
次に、フラッシュ戻り機能を実行した場合の具体例について説明する。図６は、この実施の形態のハードディスクレコーダにおいて行われるフラッシュ戻り機能を実行した場合の動作の一例を説明するための図である。
【０１０６】
この図６に示す例の場合にも、図５に示した例の場合と同様に、この実施の形態のハードディスクレコーダのＨＤＤ２１のハードディスクに記録されたコンテンツ信号であって、シーン１、シーン２、シーン３、シーン４、シーン５、シーン６、シーン７、…のように多数のシーンからなるテレビ放送番組のテレビ放送信号を再生している場合の例である。
【０１０７】
もちろん、この図６に示す再生対象のコンテンツ信号もまた、記録時においては、図６において、シーン変化点Ｐ１、Ｐ２、Ｐ３、Ｐ４、Ｐ５、Ｐ６、Ｐ７、Ｐ８、…が示すように、シーン変化点が検出されてシーン区間が特定されるとともに、図５Ｂに示すように、各シーンに対してシーン識別子Ａ、Ｂ、Ｃが付加され、これらの情報が、シーン識別子蓄積部５３にシーン区間情報として蓄積されているものとする。
【０１０８】
そして、シーン５の後半部分の時点Ｓにおいて、フラッシュ戻りキーが押下操作されたとする。従来のフラッシュ送り機能の場合、再生時間に換算して予め決められた一定時間分、再生位置を移動させるようにしたシーン４の前半において、フラッシュ送り機能は終了する。
【０１０９】
しかし、この実施の形態のハードディスクレコーダの場合、フラッシュ戻り機能の開始点Ｓを含むシーン５と、再生位置の最初の候補位置を含むシーン４とは、そのシーン識別子がいずれも「Ｃ」であるため、さらに予め決められた一定時間分、再生位置が戻るようにされる。
【０１１０】
そして、最終的には、シーン５の時点Ｓから開始されたフラッシュ戻り機能は、再生時間に換算して予め決められた一定時間を２度繰り返し戻された位置であるシーン２の後半の時点Ｅに再生位置を位置付け、そこから通常通りの再生が再開するようにされる。これにより、シーン識別子がいずれも「Ｃ」であるシーン５、シーン４、シーン３の内の途中から再生して再会することなく、時点Ｅまで再生位置を移動して、そこから通常通り再生して、シーン識別子が「Ｃ」である最初のシーン３から再生を行って、コンテンツ信号による映像と音声とを視聴することができる。
【０１１１】
この図５、図６に示した例から分かるように、フラッシュ送り機能やフラッシュ戻り機能を用いた場合に、単に再生時間に換算して一定時間分、再生位置を送ったり戻したりするのではなく、同じシーン識別子が付与された類似するシーン区間については、確実に飛ばすことができるようにされる。
【０１１２】
［再生位置の移動先のバリエーション］
この実施の形態のハードディスクレコーダの場合、フラッシュ送り機能の場合には、再生時間で換算した予め決められた一定時間の１倍、２倍、３倍のように、当該一定時間の所定倍進めた位置が、再生位置の移動先の候補となり、また、フラッシュ戻り機能の場合には、再生時間で換算した予め決められた一定時間の１倍、２倍、３倍のように、当該一定時間の所定倍戻した位置が、再生位置の移動先の候補となった。
【０１１３】
しかし、これにかぎるものではない。図３を用いて説明したように、各シーン区間の開始点Ｐ１、Ｐ２、Ｐ３、…と、終了点Ｅ１、Ｅ２、Ｅ３、…とは、シーン識別子蓄積部５３にシーン区間情報の一部として記憶保持されている。このため、現在の再生位置が属するシーン区間とは異なるシーン識別子を有する最初に検出されたシーン区間の先頭や末尾、あるいは、それらの近傍に再生位置を位置付けるようにすることも可能である。
【０１１４】
例えば、図５に示した、フラッシュ送りの例の場合には、再生位置をシーン６の時点Ｅに位置付けるのではなく、シーン６の開始点Ｐ６に位置付けるようにすることもできる。もちろん、シーン６の終了点Ｅ６に位置付けることも可能である。しかし、図５に示したフラッシュ送りの場合、フラッシュ送り機能を動作させるようにしたシーン３とはシーン識別子の異なるシーン６については、その先頭から通常再生されるほうが望ましいので、シーン６の開始点に再生位置を位置付けて再生を再開させるようにすればよい。
【０１１５】
また、図６に示した、フラッシュ戻りの例の場合には、再生位置をシーン２の時点Ｅに位置付けるのではなく、シーン２の開始点Ｐ２に位置付けるようにすることもできる。もちろん、シーン２の終了点Ｅ２、あるいは、その近傍であるシーン３の開始点Ｐ３に位置付けることも可能である。
【０１１６】
しかし、図６に示したフラッシュ戻りの場合、フラッシュ戻り機能を動作させるようにしたシーン５とはシーン識別子の異なるシーン２については、基本的に再生しなくてもよい場合が多いと考えられるので、シーン２の終了点Ｅ２あるいはシーン３の開始点に再生位置を位置付けて再生を再開させるようにすればよい。
【０１１７】
［シーン変化点の再生時における検出等について］
上述した実施の形態においては、コンテンツ信号のＨＤＤ２１のハードディスクへの記録時において、シーン変換点を検出すると共に、シーン区間を特定し、各シーン区間のシーン識別子を生成して、これらを図３に示したようにシーン区間情報として、これらをシーン識別子蓄積部５３に記憶保持するようにした。
【０１１８】
しかし、これに限るものではない。例えば、ハードディスクレコーダにおいては、小型化、軽量化されたＨＤＤを、持ち運んで利用可能な携帯用のメモリ装置（いわゆるリムーバルなメモリ装置）として利用されているものもあり、ハードディスクレコーダに対して、他のハードディスクレコーダやパーソナルコンピュータなどを通じてコンテンツ信号が記録されたＨＤＤを着脱可能にすることも考えられる。
【０１１９】
このような場合には、コンテンツ信号の記録処理は他の機器で行われているので、シーン変化点の検出は行われておらず、シーン変化点データベースが存在しないことになる。そこで、ハードディスクに記録したコンテンツ信号の再生時において、シーン変化点の検出、シーン区間の検出、シーン識別子の生成、付与を行うようにし、得られた情報をシーン区間情報としてシーン識別子蓄積部５３に格納するようにすることもできる。
【０１２０】
ＨＤＤ２１のハードディスクに記録されたコンテンツ信号の再生時における当該コンテンツ信号のシーン変化点の検出、シーン区間の検出、シーン識別子の生成、付与は、例えば、ドライブ制御部２０によってＨＤＤ２１のハードディスクから読み出されたコンテンツ信号をシーン区間処理部１７のシーン変化点検出部１７１に供給することにより、データ圧縮された状態のコンテンツ信号を用いて、再生時において行うようにすることが可能である。また、再生処理部３３において、圧縮解凍された状態のコンテンツ信号をシーン区間処理部１７のシーン変化点検出部１７１に供給することにより、圧縮解凍されてデータ圧縮前の状態に復元されたコンテンツ信号を用いてシーン変化点等を検出したりする処理を行うようにすることも可能である。
【０１２１】
いずれの場合においても、基本的には、記録時において記録対象のコンテンツ信号についてシーン変化点を検出したり、シーン区間を検出したり、各シーン区間のシーン識別子を生成して付与したりする場合とほぼ同様に行うことが可能である。
【０１２２】
したがって、コンテンツ信号の再生時において、当該コンテンツ信号についてのシーン変化点、シーン区間、各シーン区間についてのシーン識別子を検出あるいは生成して、これをシーン識別子蓄積部５３にシーン区間情報として蓄積することができる。そして、この再生時に蓄積するようにしたシーン区間情報を用いて、再生時において、フラッシュ機能を用いて、再生位置をユーザーが目的とする位置に移動させ、再生を再開させるようにすることもできるようにされる。
【０１２３】
また、図１に示したこの実施の形態のハードディスクレコーダにおいて、シーン区間処理部１７の各部（シーン変化点検出部１７１、シーン区間検出部１７２、シーン識別子生成部１７３）、再生位置検出部３１、フラッシュ時間判定部３２などの機能を制御部４０のＣＰＵ４１において実行されるプログラム（ソフトウェア）によって実現することも可能である。
【０１２４】
もちろん、シーン変化点検出部１７１、シーン区間検出部１７２、シーン識別子生成部１７３を、あるいは、そのそれぞれを、ＤＳＰ（Digital Signal Processor）などにより構成することもできる。
【０１２５】
また、上述した実施の形態においては、シーン変化点検出部１７１が変化点検出手段としての機能を実現し、シーン区間検出部１７２とシーン識別子生成部１７３とが属性判別手段としての機能を実現し、シーン識別子蓄積部５３が記憶手段としての機能を実現し、操作入力部５２、リモコン６０及びリモコン信号受光部５４が受付手段としての機能を実現し、再生位置検出部３１が再生位置判定手段としての機能を実現している。また、フラッシュ時間判定部３２と制御部４０とが協働して、実際にフラッシュ機能を実行するようにするための制御手段としての機能を実現するようにしている。
【０１２６】
また、上述した実施の形態においては、シーン識別子蓄積部５３は、ＨＤＤ２１とは別に設けるようにしたが、これに限るものではない。シーン識別子蓄積分５３をＨＤＤ２１内のハードディスクに設けるようにし、ＨＤＤ２１のハードディスク内の空き領域に、図３を用いて説明したシーン区間情報を形成して、これを用いるようにすることももちろん可能である。
【０１２７】
このように、コンテンツ情報を記録する記録媒体にシーン区間情報をも形成することにより、当該記録媒体が着脱可能なものである場合には、コンテンツデータやシーン区間情報を記録した機器とは別の機器に装填して用いる場合に、コンテンツデータと共に記録されているシーン区間情報を利用したフラッシュ機能を活用することができる。すなわち、コンテンツ情報を記録した機器とは異なる機器においても、シーン区間情報を利用したフラッシュ機能を用いるようにすることができる。
【０１２８】
また、上述した実施の形態においては、ハードディスクレコーダにこの発明を適用した場合を例にして説明したが、これに限るものではない。ＤＶＤレコーダやＤＶＤプレーヤ、ＣＤレコーダやＣＤプレーヤ、ＭＤ（登録商標）レコーダやＭＤプレーヤ、ビデオテープレコーダやビデオテーププレーヤなど、種々の記録再生装置、記録装置、再生装置に、この発明を適用することが可能である。
【図面の簡単な説明】
【０１２９】
【図１】この発明の一実施の形態が適用されたハードディスクレコーダを説明するための図である。
【図２】シーン識別子生成分１７３の処理を説明するための図であり、シーン変化点、シーン区間、シーン識別子の関係を示す図である。
【図３】図１に示したハードディスクレコーダの制御部に設けられるシーン識別子蓄積部に形成されるシーン区間情報の例を説明するための図である。
【図４】図１に示したハードディスクレコーダにおいてのフラッシュ機能実行時の動作を説明するためのフローチャートである。
【図５】図１に示したハードディスクレコーダのフラッシュ送り機能時の動作の一例を説明するための図である。
【図６】図１に示したハードディスクレコーダのフラッシュ戻り機能時の動作の一例を説明するための図である。
【図７】従来の記録再生装置におけるフラッシュ動作について説明するための図である。
【図８】従来の記録再生装置におけるフラッシュ動作の一例を説明するための図である。
【符号の説明】
【０１３０】
１１…受信アンテナ、１２…チューナ部、１３…入力端子という、１４…音声入力端子、１５…セレクタと、１６…録画処理部、１７…シーン区間処理部、１７１…シーン変化点検出部、１７２…シーン区間検出部、１７３…シーン識別子生成部、２０…ドライブ制御部、２１…ＨＤＤ、３１…再生位置検出部、３２…フラッシュ時間判定部、３３…再生処理部、３４…映像処理部、３５…映像出力端子、３６…音声処理部、３７…音声出力端子４０…制御部、４１…ＣＰＵ、４２…ＲＯＭ、４３…ＲＡＭ、４４…ＥＥＰＲＯＭ、４５…ＣＰＵバス、５１…時計回路、５２…操作入力部、５３…シーン識別子蓄積部、５４…リモコン信号受光部、６０…リモコン
【図１】
0004538744.tif 000002
【図２】
0004538744.tif 000003
【図３】
0004538744.tif 000004
【図４】
0004538744.tif 000005
【図５】
0004538744.tif 000006
【図６】
0004538744.tif 000007
【図７】
0004538744.tif 000008
【図８】
0004538744.tif 000009